(57)【特許請求の範囲】
【請求項１】
ブラインド（１０）の下端に設けられた下板（１８）に溝部（１８ａ）が形成され、溝部（１８ａ）内にブラインドの操作具（２０）が取り付けられたホルダ（２２）が挿入されて固定されるブラインドの操作具取付構造において、
前記ホルダ（２２）には、操作具（２０）のプルコード（２０ｂ）の一端部が挿通する孔部（２２ａ）と、プルコード（２０ｂ）の一端に形成される膨大部（２０ｃ）を収容する収納部（２２ｂ）とが設けられ、
前記孔部（２２ａ）の近傍において、膨大部（２０ｃ）が溝部（１８ａ）の上壁（１８ｂ）と収納部（２２ｂ）の底部（２２ｃ）との間に侵入して挟着され、ホルダが膨大部によって溝部（１８ａ）内で下方へと押し付けられて下板（１８）に対して圧迫されることを特徴とするブラインドの操作具取付構造。
【請求項２】
前記収納部（２２ｂ）の底部（２２ｃ）は、孔部（２２ａ）に近づくに連れて上方へと迫り上がるテーパー状に形成されることを特徴とする請求項１記載のブラインドの操作具取付構造。
【請求項３】
前記ホルダ（２２）の前記孔部（２２ａ）と前記収納部（２２ｂ）との間には、膨大部（２０ｃ）が侵入不可能でプルコード（２０ｂ）が挿通可能な小溝部（２２ｄ）が形成されることを特徴とする請求項１又は２に記載のブラインドの操作具取付構造。
【発明の詳細な説明】
【技術分野】
【０００１】
本発明は、ブラインドの下端に設けられた下板に溝部が形成され、溝部内にブラインドの操作具が取り付けられたホルダが挿入されて固定されるブラインドの操作具取付構造に関する。
【背景技術】
【０００２】
従来、この種のブラインドの操作具取付構造としては、特許文献１に記載されたものが知られている。この構造では吊下用フックが、幅方向中央部を上方に膨出させて湾曲させた適宜長さのフック主板と、フック主体の両側縁各々に設けられた側板とからなり、フック主板と両側板とで断面Ｗ字形状になるように構成される。そして、このフック主板の略中央部に、把手紐吊下用の固定孔が穿設された半球状または半円筒状の窪部を下向きに突設させており、把手紐を固定孔から挿通して、窪部に結び目を固定させることにより、把手紐を吊下用フックに吊下げるようにしている。そして、このフック主板をロールスクリーン下端に取り付けられるウエイトバー等の筒体の溝部に挿入しており、湾曲しているフック主体が下方の把手紐の荷重によって左右側方に広がり、両側板が筒体の内周面に強力に圧接されて係止されるために、把手紐からの荷重が斜めから加えられても、把手紐が安定的に吊下げられることになっている。
【０００３】
【特許文献１】実公昭５８−７０４０号公報
【発明の開示】
【発明が解決しようとする課題】
【０００４】
しかしながら、上記公報の構成では、把手紐の荷重が作用したときのみ、つまり、ブラインドの操作時に把手紐を引き下げたときのみ、吊下用フックが筒体の内周面に圧接されて、該筒体に係止されるため、操作時以外は係止できていない状態となっており、簡単に把手紐が筒体を摺動して左右に動いてしまう可能性があるという問題がある。
【０００５】
本発明はかかる課題に鑑みなされたもので、操作具の位置決めを簡単に行なうことができると共に、確実に操作具を固定することができるブラインドの操作具取付構造を提供することをその目的とする。
【課題を解決するための手段】
【０００６】
前述した目的を達成するために、請求項１記載の発明は、ブラインドの下端に設けられた下板に溝部が形成され、溝部内にブラインドの操作具が取り付けられたホルダが挿入されて固定されるブラインドの操作具取付構造において、
前記ホルダには、操作具のプルコードの一端部が挿通する孔部と、プルコードの一端に形成される膨大部を収容する収納部とが設けられ、
前記孔部の近傍において、膨大部が溝部の上壁と収納部の底部との間に侵入して挟着され、ホルダが膨大部によって溝部内で下方へと押し付けられて下板に対して圧迫されることを特徴とする。
【０００８】
請求項２記載の発明は、請求項１記載の前記収納部の底部が、孔部に近づくに連れて上方へと迫り上がるテーパー状に形成されることを特徴とする。
【０００９】
請求項３記載の発明は、請求項１又は２に記載のものにおいて、前記ホルダの前記孔部と前記収納部との間に、膨大部が侵入不可能でプルコードが挿通可能な小溝部が形成されることを特徴とする。
【発明の効果】
【００１０】
本発明によれば、プルコードの他端部を引くと、プルコードの一端部が引っ張られ、プルコードの一端に形成された膨大部が孔部の方へと近づき、孔部の近傍において、該膨大部は収納部と溝部とによって挟着される。この挟着によって、膨大部がホルダを溝部に対して押し付けるように作用するために、ホルダは溝部によって確実に固定される。通常のブラインドの動作においては、プルコードにその他端部を引く力が作用しても、プルコードの一端の膨大部を孔部から遠ざけるような力は作用しないため、ホルダの溝部への固定は保持され、ホルダ及び操作具が不用意に動くことはない。
【００１１】
その一方で、ホルダの位置を調整するときには、膨大部を孔部の近傍から遠ざけるようにしておくことで、挟着は発生しないので、ホルダを溝部の長手方向に沿って自由に移動させることができて、所望の位置へと円滑に移動させることができる。
【００１２】
膨大部によってホルダを溝部に固定するようにしており、ホルダ単独で溝部と係合力または摩擦力を発生するようにする必要はないために、ホルダは溝部の長手方向に沿って移動しやすい簡単な形状とすることができる。
【００１３】
また、溝部の上壁と収納部の底部との間に膨大部が侵入することで、溝部と収納部とで膨大部を挟着することができる。
【００１４】
請求項２記載の発明によれば、収納部の底部をテーパー状にすることにより、収納部と溝部との間での膨大部の挟着力を、膨大部が孔部へと接近するに連れて除々に高めるようにすることができ、膨大部が溝部の上壁と収納部の底部に侵入しやすくなる。
【００１５】
請求項３記載の発明によれば、膨大部が孔部に接近しすぎないようにして、小溝部と収納部との境界部分で膨大部の動きを止めて、膨大部を溝部との間で効果的に圧接させるようにすることができる。
【発明を実施するための最良の形態】
【００１６】
以下、図面を用いて本発明の実施の形態を説明する。
【００１７】
図１は本発明の実施形態にかかるブラインドの操作具取付構造が適用されるブラインドの一例を表す正面図である。ブラインドは、ロールスクリーンとなっているが、これに限るものではなく、遮蔽材を有する任意の構成のブラインドとすることができる。
【００１８】
ブラインド１０は、ブラケット１１によって壁面、窓枠等の固定取付面に固定される支持フレーム１２と、支持フレーム１２に軸支された巻取パイプ１４と、巻取パイプ１４に一端が巻取り・巻解き可能に連結された遮蔽材としてのスクリーン１６とを有しており、スクリーン１６の下端には下板であるウエイトバー１８が設けられており、ウエイトバー１８には、操作具２０が吊下げられている。
【００１９】
図２に示すように、操作具２０を吊下げるための操作具取付構造として、ウエイトバー１８には下方に向けて開口した溝部１８ａが形成されており、該溝部１８ａ内に、操作具２０が取り付けられたホルダ２２が挿入されて、固定される。
【００２０】
ホルダ２２は、図３及び図４に示すように、その横断面が溝部１８ａの長手方向を摺動自在な形状となっており、長手方向中央部には上下方向に伸びる孔部２２ａが形成されると共に、その長手方向両側部には上方に向けて開口した収納部としての溝部２２ｂ、２２ｂが形成されており、溝部２２ｂ、２２ｂの底部２２ｃは、端部から孔部２２ａの形成された中央部に向かって漸次上方へと迫り上がっており、つまり底部２２ｃは、孔部２２ａに近づくに連れてテーパー状になっている。また、中央部の孔部２２ａと両側部の溝部２２ｂ、２２ｂとの間は小溝部２２ｄによって繋がれている。小溝部２２ｄは、その幅及び高さが溝部２２ｂよりも小さく設定されており、小溝部２２ｄと溝部２２ｂとの境界部分には段面２２ｅが形成される。尚、この例では、溝部２２ｂ及び小溝部２２ｄは、それぞれ孔部２２ａに対して対称的に両端側に形成されているが、溝部２２ｂ及び小溝部２２ｄは１つであってもよい。
【００２１】
操作具２０は、その端部に操作者が握るのに適した任意の形状となった把持部２０ａと、把持部２０ａから伸びるプルコード２０ｂと、プルコード２０ｂの端部に結び目によって形成された膨大部２０ｃとを有している。
【００２２】
そして、操作具２０がホルダ２２に取り付けられている状態において、プルコード２０ｂの一端部は孔部２２ａを挿通して小溝部２２ｄを通過しており、一端に形成された膨大部２０ｃが溝部２２ｂ内に収納される。
【００２３】
以上のように構成される操作具取付構造における操作具の取付手順を説明する。まず、ホルダ２２の孔部２２ａにプルコード２０ｂの一端部を下方から通した後、一端に膨大部２０ｃを形成して、プルコード２０ｂが孔部２２ａから抜けないようにする。そして、図５(ａ)に示したように、膨大部２０ｃを溝部２２ｂの孔部２２ａから離れたホルダ２２端部付近かまたは溝部２２ｂ外若しくはホルダ２２外に配置した状態で、ホルダ２２をウエイトバー１８の溝部１８ａ内に挿入してその長手方向に摺動させて、ウエイトバー１８の幅方向の所望の位置にまで移動させる。このときに、膨大部２０ｃは、孔部２２ａから離れた端部付近かまたは溝部２２ｂ外若しくはホルダ２２外にあって可動状態にあり、適宜、ウエイトバー１８の壁面から逃げることができるために、ホルダ２２の摺動を妨害することはない。このため、ホルダ２２及び操作具２０の位置決めは、円滑に行うことができる。
【００２４】
ホルダ２２の位置決めが行われると、図５（ｂ）に示したように、操作具２０の他端部にある把持部２０ａを握って操作具２０を下方へ引っ張ると、膨大部２０ｃが孔部２２ａの方へと引き寄せられ、底部２２ｃと溝部１８ａの上壁１８ｂとの間に侵入する。
【００２５】
小溝部２２ｄが、プルコード２０ｂが挿通可能である一方で、膨大部２０ｃが挿入することができない大きさに設定されていると、膨大部２０ｃは、段面２２ｅに当接してそれ以上の移動ができなくなる。
【００２６】
段面２２ｅ付近で、溝部２２ｂの底部２２ｃが迫り上がっているので、膨大部２０ｃは、段面２２ｅに当接した状態において、これらの間に挟着されて、ホルダ２２を下方へと押し付ける。このため、ホルダ２２は、溝部１８ａに対して圧迫されて溝部１８ａに確実に固定される。
【００２７】
底部２２ｃがテーパー状になっていると、膨大部２０ｃが溝部１８ａの上壁１８ｂと底部２２ｃとの間に侵入しやすく、膨大部２０ｃが孔部２２ａへと接近するに連れて挟着力を除々に高めるようにすることができる。
【００２８】
こうして、ホルダ２２をウエイトバー１８の溝部１８ａに固定した後は、操作具２０の把持部２０ａを持って操作を行なうことで、スクリーン１６の下降操作を行なうことができる。操作具２０の操作方向は引き下げる方向に向いており、テーパー状の底部２２ｃと溝部１８ａとの間の膨大部２０ｃの挟着を強化する方向へと作用するために、その後の使用によってもホルダ２２の溝部１８ａへの固定は保持され、ホルダ２２及び操作具２０が不用意に動くことはない。
【００２９】
その後に、ホルダ２２及び操作具２０の位置を再調整したい場合には、ホルダ２２を直接溝部１８ａの下方から操作して動かせば、挟着力に反して動かすことができ、再調整も容易に行なうことができる。
【図面の簡単な説明】
【００３０】
【図１】本発明の実施形態にかかるブラインドの操作具取付構造が適用されるブラインドの正面図である。
【図２】図１の２−２線に沿って見た断面図である。
【図３】ホルダの斜視図である。
【図４】ホルダの縦断面図である。
【図５】（ａ）はホルダの位置決めを行なうときの断面図、（ｂ）はホルダを固定したときの断面図である。
【符号の説明】
【００３１】
１０  ブラインド
１８  ウエイトバー（下板）
１８ａ  溝部
１８ｂ  上壁
２０  操作具
２０ｂ  プルコード
２０ｃ  膨大部
２２  ホルダ
２２ａ  孔部
２２ｂ  溝部（収納部）
２２ｃ  底部
２２ｄ  小溝部
【図１】
0004708883.tif 000002
【図２】
0004708883.tif 000003
【図３】
0004708883.tif 000004
【図４】
0004708883.tif 000005
【図５】
0004708883.tif 000006